(57)【要約】【課題】化粧液中の有効成分を皮膚深部にイオン導入させ得るようにしたイオン導入美容器に皮膚表皮の角質層を剥落させ得るピーリング機能を付加することで単一の美容器を多機能型にすること。【解決手段】上半部を手で握持できる器体１にトリートメントすべき皮膚面に対して化粧液中のイオン化した有効成分を浸透させ得るイオン出力部２７を有したイオン導入美容器において、イオン出力部２７は、器体１の下面中央部において下向きに露出させた状態で配置しているとともに、器体１の下面におけるイオン出力部２７の外側を囲う位置に、回転駆動装置３１により回転させながら皮膚面に接触させることにより該皮膚面の角質層を剥ぎ落とす機能を有した円盤状の角質剥落材３５を配置していることで、単一の美容器にイオン導入機能とピーリング機能とを付与している。【選択図】  図３
2015104643.tif 000002
【特許請求の範囲】
【請求項１】
上半部を手で握持できる器体（１）にトリートメントすべき皮膚面に対して化粧液中のイオン化した有効成分を浸透させ得るイオン出力部（２７）を有したイオン導入美容器において、
上記イオン出力部（２７）は、上記器体（１）の下面中央部において下向きに露出させた状態で配置しているとともに、
上記器体（１）の下面における上記イオン出力部（２７）の外側を囲う位置に、回転駆動装置（３１）により回転させながら皮膚面（Ｂ）に接触させることにより該皮膚面の角質層を剥ぎ落とす機能を有した円盤状の角質剥落材（３５）を配置している、
ことを特徴とするピーリング機能付きイオン導入美容器。
【発明の詳細な説明】
【技術分野】
【０００１】
本願発明は、化粧液中のイオン化した有効成分を外部から皮膚深部に浸透させ得るイオン導入美容器に関し、さらに詳しくは、そのようなイオン導入機能に加えて皮膚面の角質層を剥落させるピーリング機能を付加したピーリング機能付きイオン導入美容器に関するものである。
【背景技術】
【０００２】
イオン導入美容器は、家庭用として手軽に使用できるものが各種市販されているが、これらのイオン導入美容器は、化粧液（ジェル）をトリートメントすべき皮膚面に塗布した状態で、器体（美容器本体）の外面に設けたイオン出力部を皮膚の化粧液塗布面に接触させることで（人体を通して微弱電流が流れる）、化粧液中の有効成分（イオン化したもの）を電気的に皮膚深部に浸透させるものである。尚、化粧液中の有効成分は、＋イオンのものと−イオンのものがあるが、イオン導入美容器のイオン出力部は化粧液有効成分のイオン極性と同じに設定することで、所望のイオン極性の有効成分を皮膚深部に浸透させることができる。
【０００３】
又、この種のイオン導入美容器は、イオン出力部を−極性にした状態で皮膚面に接触させると、該イオン出力部が−極性であることにより、毛穴内の汚れ成分（＋極性）を電気的に吸引するという美容効果もある。
【０００４】
他方、人の皮膚面（表皮）には、老廃物による角質が生成されて堆積していく。そして、この角質層は、皮膚の新陳代謝によって自然に剥がれ落ちるものであるが、皮膚の新陳代謝機能が衰えると、古い角質層が皮膚面から剥がれ落ちにくくなり、該角質層が肌をカサカサにしたり肌に「しみ」や「くすみ」を発生させる原因となっていた。
【０００５】
ところで、肌の美容には、皮膚面（表皮）に生成・堆積する角質層を早期の段階で除去（ピーリングという）することが有効であるが、現在行われている肌のピーリング法としては、薬剤によるケミカルピーリング法や、レーザー光によるレーザーピーリング法や、金属粉末の吹き付けによるクリスタルピーリング法等がある。
【０００６】
ところが、上記ケミカルピーリング法は、薬剤を使用する関係で特に敏感肌の人には不安要素があって敬遠される傾向がある。他方、上記レーザーピーリング法や上記クリスタルピーリング法は、即効性が乏しい（何回も継続使用する必要がある）という難点があるほか、この種のピーリング美容器は高価であってクリニックやエステ等の専門機関で使用している程度で一般家庭用には普及度が低いものである。
【０００７】
又、上記レーザーピーリングや上記クリスタルピーリングを行うピーリング美容器は、皮膚表皮の角質除去のみに使用されるものであって、その他の付加機能（例えば角質除去機能に並行して行われるイオン導入機能）を有するものではなかった。
【発明の概要】
【発明が解決しようとする課題】
【０００８】
そこで、本願発明は、一般家庭用向けの簡易な構造であって、化粧液中の有効成分（イオン化したもの）を皮膚深部に浸透させ得るようにしたイオン導入美容器に、皮膚表皮の角質層を剥落させ得るピーリング装置を付加したピーリング機能付きイオン導入美容器を提供することを目的としている。
【課題を解決するための手段】
【０００９】
本願発明は、上記課題を解決するためのものであって、器体（美容器本体）に、皮膚面に対して化粧液中のイオン化した有効成分を浸透させ得るイオン導入装置と皮膚面の角質層を剥ぎ落とすピーリング装置とを備えたピーリング機能付きイオン導入美容器を対象としたものである。尚、以下の説明では、本願の「ピーリング機能付きイオン導入美容器」を単に「美容器」と表現することがある。
【００１０】
そして、本願発明の美容器（ピーリング機能付きイオン導入美容器）は、上半部を手で握持できる器体（外装体となる美容器本体）の下面中央部にイオン出力部（イオン導入装置の一部となる）を下向きに露出させた状態で配置しているとともに、上記器体の下面における上記イオン出力部の外側を囲う位置に、回転駆動装置により回転させながら皮膚面に接触させることにより該皮膚面の角質層を剥ぎ落とす機能を有した円盤状の角質剥落材（ピーリング装置の一部となる）を配置していることを特徴としている。
【００１１】
本願発明の美容器におけるイオン導入装置は、電池を有した電気回路の一方の電極端子（例えば＋極）を器体の下面中央部に配置したイオン出力部に接続している一方、該電気回路の他方の電極端子（例えば−極）を器体上半部に設けたアース板（握持状態で手が接触する）に接続している。そして、このイオン導入装置は、器体の上半部を手で握持して該器体の下面側をトリートメントすべき皮膚面に押し当てることで、人体を介して微弱電流が流れ、そのとき器体下面のイオン出力部が一方の極性（例えば＋極性）となることにより、皮膚面に塗布している化粧液中の有効成分（例えば＋極性のイオン）を皮膚深部に浸透させるように機能するものである。尚、イオン出力部の極性は、スイッチ切換により可逆的に変更させ得るようにしておくと、両極性のイオン導入を行えるとともに、該イオン出力部を−極性にして使用する場合は、毛穴内の汚れ成分（＋極性）を電気的に吸引・除去する機能も生じる。
【００１２】
他方、本願発明の美容器におけるピーリング装置は、器体の下面におけるイオン出力部の外側を囲う位置に配置した円盤状の角質剥落材を回転駆動装置で所定の低速で回転（例えば毎分３０〜６０回転）させるようにしたものである。尚、角質剥落材は、下面を粗面加工したものである。
【００１３】
そして、この美容器のピーリング装置は、角質剥落材を回転させながら該角質剥落材の下面を皮膚面に押し当てる（角質剥落材が皮膚面を擦る）ことで、皮膚面の角質を剥がし落とす機能を有するものである。
【００１４】
そして、本願発明の美容器は、次のように使用される。
【００１５】
まず、トリートメントすべき皮膚面に化粧液を塗布しておき、美容器の切換スイッチをＯＮにし、その器体の上半部を手で握持した状態で、該器体の下面をトリートメントすべき皮膚面（化粧液塗布部分）に押し当てる。すると、電池からの電流が人体を介して両電極端子間に流れるとともに、イオン出力部が一方の極性（例えば＋極性）になって、該イオン出力部に接触している化粧液中の同極性（＋極性）のイオン成分（有効成分）が皮膚深部に浸透するようになる。
【００１６】
他方、この美容器では、上記切換スイッチをＯＮにすると、ピーリング装置の回転駆動装置が作動して、円盤状の角質剥落材がイオン出力部の回りで回転する。そして、その角質剥落材の回転状態で器体（美容器）の下面をトリートメントすべき皮膚面に押し当てると、該角質剥落材の下面（粗面加工している）が皮膚面を擦ることになり、その角質剥落材による擦り作用によって皮膚面の角質層を剥ぎ落とすことができる。尚、皮膚面に対する美容器下面の押付け力は、トリートメントすべき部所によって調整することで、過剰な擦り作用による不快感や肌の損傷等を防止できる。又、この美容器は、器体下面を皮膚面に押し当てた状態で皮膚面に沿ってゆっくり移動させることにより、広範囲の皮膚面を連続してケアすることができる。
【発明の効果】
【００１７】
本願発明のピーリング機能付きイオン導入美容器は、次のような効果がある。
【００１８】
まず、器体の上半部を握持して器体（美容器）の下面をトリートメントすべき皮膚面に押し当てるだけで、イオン導入装置（イオン出力部）によるイオン導入機能とピーリング装置（角質剥落材）によるピーリング機能とを同時に達成できるので、単一の美容器を多機能型として利用できるとともに、ハンディタイプ式のものであるので使い易いという効果がある。
【００１９】
又、単一の器体にイオン導入装置とピーリング装置の両方を装備しているので、該器体を両装置の取付器体として共用できる（有効利用できる）という効果がある。
【図面の簡単な説明】
【００２０】
【図１】本願実施例のピーリング機能付きイオン導入美容器の側面図である。
【図２】図１の美容器の底面図である。
【図３】図１のIII−III断面図である。
【発明を実施するための形態】
【００２１】
［実施例］
図１〜図３を参照して本願実施例のピーリング機能付きイオン導入美容器を説明する。尚、本願実施例においても、「ピーリング機能付きイオン導入美容器」を単に「美容器」と表現することがある。
【００２２】
この実施例の美容器は、上半部を手Ａ（図１参照）で握持し得る器体１に、イオン導入機能を有するイオン導入装置２とピーリング機能を有するピーリング装置３とを装備して構成されている。
【００２３】
器体１は、内部が中空の合成樹脂製で、環状の胴体１１の上部に蓋体１２を開閉自在に取付けて構成されている。そして、この器体１は、側面視が横長の略楕円形で平面視が略円形に近い形状であって、平面視における外径Ｃ（図２参照）を８０〜９０cm程度の大きさ（図１に示すように器体１の上半部を手Ａで握持できる大きさ）に設定している。尚、器体１における形状及び大きさは、上記したものに限定されるものではなく、器体１の上半部を手Ａで握持できるものであれば、適宜に設計変更可能である。
【００２４】
器体１の胴体１１は、図２に示すように、左右に２つ割りした各分割胴体１１ａ，１１ａを環状に合体させたものである。又、該胴体１１の下面は、中心寄りのかなりの面積部分でフラットな平面となっているとともに、該胴体１１の下面の中央部には後述の回転軸１３（大径盤１４部分）を挿通させるための穴が形成されている。
【００２５】
蓋体１２は胴体１１に対して開閉自在であって、該蓋体１２を開放させることで胴体１１内に電池２１を出し入れし得るようになっている。
【００２６】
上記イオン導入装置２は、器体１内に配置された電池２１と配電基盤２２と切換スイッチ２３とを有した電気回路を有している。そして、このイオン導入装置２は、上記電気回路の一方の電極端子２４を器体１の下面中央部に設けたイオン出力部２７に接続している一方、該電気回路の他方の電極端子２５を蓋体１２の上面に設けたアース板２８に接続している。
【００２７】
上記イオン出力部２７は、通電可能な金属製の容器形状のものであって、その下面部分（皮膚接触部分）の外径を１５mm程度（この大きさは特に限定するものではない）に設定している。そして、このイオン出力部２７は、後述するピーリング装置３の一部となる回転軸１３の下端に設けた大径盤１４の下面に固定されていて、回転軸１３と供回りするように設置されている。尚、このイオン出力部２７の下端は、この美容器全体の下面（後述する角質剥落材３５）から僅かに突出する状態で露出させており、美容器の下面を皮膚面Ｂ（図１）に押し当てたときに、該イオン出力部２７と後述の角質剥落材３５とが同時に皮膚面Ｂに接触するようになっている。
【００２８】
ところで、この実施例で使用しているイオン導入装置２では、後述するようにイオン出力部２７が器体１に対して回転することにより、配電基盤２２とイオン出力部２７（電極端子２４）とをロータリー接点２６（固定接点２６ａと可動接点２６ｂ）を介して接続している一方、蓋体１２が胴体１１に対して開閉される関係で、配電基盤２２と蓋体１２側のアース板２８（電極端子２５）とを接離自在な接点２９を介して接続している。尚、イオン出力部２７側の電極端子２４へのリード線は、回転軸１３の中心に設けた貫通穴を通して配置されており、該リード線の上端部を回転軸１３の上端部においてロータリー接点２６（固定接点２６ａと可動接点２６ｂ）を介して配電基盤２２に接続している。
【００２９】
そして、この美容器のイオン導入装置２を機能させるには、トリートメントすべき皮膚面Ｂ（図１）に化粧液を塗布しておき、蓋体１２を閉じ、切換スイッチ２３のスイッチボタン２３ａを操作してイオン出力部２７側の電極端子２４の極性を所望の側にセットし（＋極にすることが多い）、器体１の上半部を手Ａで握持した状態（アース板２８が手に接触する）で美容器下面を皮膚面Ｂに押し当てることで、人体を介して微弱電流が流れ、そのとき器体下面のイオン出力部２７が一方の極性（＋極性）となることにより皮膚面Ｂに塗布している化粧液中の有効成分（＋イオン）を皮膚深部に浸透させるように機能する。尚、化粧液の有効成分が−イオンである場合には、スイッチボタン２３ａで切換スイッチ２３を切換えてイオン出力部２７の極性を−極性にした状態で行えばよく、その場合（イオン出力部２７が−極性の場合）は、−極性のイオン導入を行えるとともに毛穴内の汚れ成分（＋極性）を電気的に吸引・除去する機能も発生する。
【００３０】
この実施例の美容器には、上記イオン導入装置２のほかに、角質剥落用のピーリング装置３が使用されている。このピーリング装置３は、器体１の下面におけるイオン出力部２７の外側を囲う位置において、円盤状の角質剥落材３５を回転駆動装置（モータ）３１によって所定の低速で回転（例えば毎分３０〜６０回転）させるようにしたものである。
【００３１】
即ち、このピーリング装置３は、図３に示すように、器体１（胴体１１）内の中心位置に上下２つの軸受１５，１５で回転自在に支持された回転軸１３と、該回転軸１３を回転させる回転駆動装置（モータ）３１と、減速機３２及び各歯車３３，３４からなる減速機構と、回転軸１３の下端に設けた大径盤１４の下面に固定した円盤状の角質剥落材３５とを有して構成している。尚、回転駆動装置３１は、上記電池２１からの電力を受けて駆動される。
【００３２】
角質剥落材３５は、図２に示すように、イオン出力部２７の外側を囲う位置においてかなり大きな直径Ｄ（Ｄ＝約６０cm程度）のものを採用している。又、この角質剥落材３５の下面は、ヤスリ面のような粗面加工が施されている。尚、角質剥落材３５の下面よりイオン出力部２７の下面が僅かに下方に突出しているが、この美容器の下面を皮膚面Ｂに押し当てると、図１に示すように、皮膚面の凹みによりイオン出力部２７の下面と角質剥落材３５の下面とが同時に皮膚面Ｂに接触する。
【００３３】
そして、この美容器のピーリング装置３は、切換スイッチ２３をＯＮ操作すると、回転駆動装置（モータ）３１の回転力で角質剥落材３５を回転させることができ、該角質剥落材３５が回転しながら皮膚面Ｂを擦ることによって、皮膚面Ｂに堆積された角質層を剥落させる機能を発揮するものである。尚、この実施例では、単一の切換スイッチ２３（スイッチボタン２３ａ）でイオン導入装置２の電気回路に通電するとともにピーリング装置３の回転駆動装置３１を作動させるようになっているが、他の実施例では、回転駆動装置３１用のスイッチを個別に設けて、イオン導入装置２とピーリング装置３とを別々に作動させる得るようにしてもよい。
【００３４】
この実施例の美容器は、次のように使用される。  
【００３５】
まず、トリートメントすべき皮膚面Ｂに化粧液を塗布しておき、該化粧液の有効成分のイオン極性に応じて切換スイッチ２３によりイオン出力部２７側の電極端子２４を所望の極性にセットする。尚、この状態では、イオン導入装置２が機能できる状態となっている一方、ピーリング装置３の角質剥落材３５がイオン出力部２７とともに回転している。
【００３６】
続いて、図１に示すように、器体１の上半部を手Ａで握持した状態で（アース板２８に手Ａが接触している）、美容器の下面をトリートメントすべき皮膚面Ｂ（化粧液塗布部分）に押し当てると、イオン出力部２７の下面と角質剥落材３５の下面が共に皮膚面Ｂに接触する。
【００３７】
そして、そのとき、イオン導入装置２においては、電池２１からの電流が人体を介して両電極端子２４，２５間に流れるとともに、イオン出力部２７が一方の極性（例えば＋極性）になって、該イオン出力部２７に接触している化粧液中の同極性（＋極性）のイオン成分（有効成分）が皮膚深部に浸透するようになる。
【００３８】
他方、ピーリング装置３においては、角質剥落材３５が回転していることにより該角質剥落材３５の下面（粗面加工している）が皮膚面Ｂを擦ることになり、その角質剥落材３５による擦り作用によって皮膚面Ｂの角質層を剥ぎ落とすことができる。
【００３９】
そして、この美容器の下面を皮膚面Ｂに押し当てた状態で皮膚面に沿ってゆっくり移動させることにより、イオン導入装置２によるイオン導入機能とピーリング装置３によるピーリング機能とを同時進行させながら広範囲の皮膚面を連続してケアすることができる。      
【００４０】
このように、本願実施例の美容器では、器体１の上半部を手Ａで握持して美容器の下面をトリートメントすべき皮膚面Ｂに押し当てるだけで、イオン導入装置２（イオン出力部２７）によるイオン導入機能とピーリング装置３（角質剥落材３５）によるピーリング機能とを達成できるので、単一の美容器を多機能型として利用できる。
【００４１】
又、単一の器体１にイオン導入装置２とピーリング装置３の両方を装備しているので、該器体１を両装置の取付器体として共用できる（有効利用できる）。
【００４２】
尚、この美容器において、イオン導入装置２とピーリング装置３とに別々のスイッチを設けておくと、イオン導入とピーリングとを別々に（単独で）行ったり、同時に行ったりすることを選択できる。
【符号の説明】
【００４３】
１は器体、２はイオン導入装置、３はピーリング装置、１１は胴体、１２は蓋体、１３は回転軸、２１は電池、２４はイオン出力部側の電極端子、２５はアース板側の電極端子、２７はイオン出力部、２８はアース板、３１は回転駆動装置（モータ）、３５は角質剥落材である。
【図１】
2015104643.tif 000003
【図２】
2015104643.tif 000004
【図３】
2015104643.tif 000005